(57)【要約】【課題】  静音で光量調整を行うことが可能なアダプタおよびカメラシステムを提供する。【解決手段】  撮影光の通過面積を変化させることが可能な第１の光量調整部を備える交換用レンズと、撮像素子を備えるカメラ本体と、の間に装着可能で、物性変化により撮影光の透過率を変化させることが可能な第２の光量調整部と、該第２の光量調整部を制御する制御部と、を有するアダプタであって、前記制御部は、第１の静止画撮影が行われる第１の撮影モードにおいて、ユーザによる光量調整のための操作部における操作量に応じて前記第２の光量調整部における前記透過率を制御するとともに、撮影モードにおいて、前記カメラ本体から前記交換用レンズに送信される前記第１の光量調整部に対する前記駆動指示を駆動完了信号に変換して前記駆動完了信号を前記カメラ本体に送信する。【選択図】  図１
2017191310.tif 000002
【特許請求の範囲】
【請求項１】
撮影光の通過面積を変化させることが可能な第１の光量調整部を備える交換用レンズと、撮像素子を備えるカメラ本体と、の間に装着可能で、物性変化により撮影光の透過率を変化させることが可能な第２の光量調整部と、該第２の光量調整部を制御する制御部と、を有するアダプタであって、
前記制御部は、撮影モードにおいて、ユーザによる光量調整のための操作部における操作量あるいは前記カメラ本体から前記交換用レンズに送信される前記第１の光量調整部に対する駆動指示に応じて前記第２の光量調整部における前記透過率を制御し、
前記制御部は、前記撮影モードにおいて、前記カメラ本体から前記交換用レンズに送信される前記第１の光量調整部に対する前記駆動指示を駆動完了信号に変換して前記駆動完了信号を前記カメラ本体に送信することを特徴とするアダプタ。
【請求項２】
前記アダプタが前記撮影モードとして第１の静止画撮影が行われる第１の撮影モードを選択する選択スイッチを有することを特徴とする請求項１に記載のアダプタ。
【請求項３】
前記選択スイッチは第２の静止画撮影が行われる第２の撮影モードを選択可能であり、前記制御部は、前記第２の撮影モードにおいて、光量検出部における検出量に応じて前記第２の光量調整部における前記透過率を制御することを特徴とする請求項２に記載のアダプタ。
【請求項４】
前記制御部は、前記第２の撮影モードにおいて、前記光量検出部における検出量に応じて前記カメラ本体から前記交換用レンズに送信される前記第１の光量調整部に対する駆動指示に応じて前記第２の光量調整部における前記透過率を制御すると共に、前記駆動指示を駆動完了信号に変換して前記駆動完了信号を前記カメラ本体に送信することを特徴とする請求項３に記載のアダプタ。
【請求項５】
前記選択スイッチは動画撮影が行われる第３の撮影モードを選択可能であり、
前記制御部は、前記第３の撮影モードにおいて、光量検出部における検出量に応じて前記第２の光量調整部における前記透過率を制御することを特徴とする請求項２乃至４のいずれか１項に記載のアダプタ。
【請求項６】
前記制御部は、前記第３の撮影モードにおいて、前記光量検出部における検出量に応じて前記カメラ本体から前記交換用レンズに送信される前記第１の光量調整部に対する駆動指示に応じて前記第２の光量調整部における前記透過率を制御すると共に、前記駆動指示を駆動完了信号に変換して前記駆動完了信号を前記カメラ本体に送信することを特徴とする請求項５に記載のアダプタ。
【請求項７】
前記アダプタが前記操作部を有することを特徴とする請求項１乃至６のいずれか１項に記載のアダプタ。
【請求項８】
撮影光の通過面積を変化させる第１の光量調整部を備える交換用レンズと、
撮像素子を備えるカメラ本体と、
請求項１乃至７のいずれか１項に記載のアダプタと、
を有することを特徴とするカメラシステム。
【請求項９】
複数の撮影モードの中から選択された前記撮影モードに応じて、前記第１の光量調整部と前記第２の光量調整部の制御方法を変更することを特徴とする請求項８に記載のカメラシステム。
【請求項１０】
前記第２の光量調整部による制御が制御範囲を超える場合に、前記撮像素子の感度を制御することを特徴とする請求項８または９に記載のカメラシステム。
【請求項１１】
前記カメラ本体が前記撮影モードとして第１の静止画撮影が行われる第１の撮影モードを選択する選択スイッチを有することを特徴とする請求項８乃至１０のいずれか一項に記載のカメラシステム。
【請求項１２】
前記カメラ本体が前記光量検出部を有することを特徴とする請求項８乃至１１のいずれか１項に記載のカメラシステム。
【請求項１３】
前記アダプタ、前記カメラ本体、前記交換用レンズのいずれかが前記操作部を有することを特徴とする請求項８乃至１２のいずれか１項に記載のカメラシステム。
【請求項１４】
被写界深度を決めるためにユーザによって前記第１の光量調整部における前記通過面積が変更可能であり、前記被写界深度が決められた状態で前記操作部における操作量が検知されることを特徴とする請求項８乃至１３のいずれか１項に記載のカメラシステム。
【発明の詳細な説明】
【技術分野】
【０００１】
本発明は、物性変化により撮影光の透過率を変化させる光量調整部を備えるアダプタおよびカメラシステムに関する。
【背景技術】
【０００２】
従来、マウント形状が異なる交換用レンズ（交換レンズ）をカメラ本体に接続するためにアダプタが用いられている。マウント形状が異なる要因として、イメージサイズが異なることや、フランジバックの違いなどが挙げられる。
【０００３】
そして、近年、一眼レフカメラのミラー部を取り除いた、コンパクトで軽量なミラーレス一眼カメラが普及してきている。一眼レフカメラに比べ、ミラーレス一眼カメラのフランジバックは短く設計されており、マウント形状も異なっている。
【０００４】
ミラーレス一眼カメラは、ミラー部を取り除いたことにより、コントラストＡＦに最適化されており、コントラストＡＦと位相差ＡＦを併用する一眼レフカメラに対し動画撮影に適している。このようなことを背景とし、ミラーレス一眼カメラの普及とともにデジタルカメラを用いた動画撮影への要望が強まっている。
【０００５】
ところで、交換レンズには、入射光量（撮影光量）を調整するために光通過口の面積を変更する絞りが不可欠である。この絞りとしては、ステッピングモータなどを駆動源とした機械絞りが用いられることが多い。但し、機械絞りは、構成上、駆動音が発生する。したがって、録音を行う動画撮影時にはその駆動音も録音してしまうという問題が発生する。
【０００６】
また、上記入射光量を調整する手段として、ＮＤフィルタを挿脱する手段もある。ＮＤフィルタを用いることで、機械絞りを駆動させなくても入射光量の調整が可能である。
【０００７】
特許文献１では、撮影レンズとカメラ本体の中間に装着されるレンズアダプタ（アダプタ）内に、光路中へフィルタの挿脱を実現する機構を備えるものが開示されている。
【０００８】
また、特許文献２では、レンズアダプタ内に挿入位置が制御されるＮＤフィルタを備え、露出情報に基づき交換レンズ内の絞りとマウントアダプタ内のＮＤフィルタの制御を行うものが開示されている。
【先行技術文献】
【特許文献】
【０００９】
【特許文献１】特開２０１４−１８２２９３号公報
【特許文献２】特開２０１０−２０４３０３号公報
【発明の概要】
【発明が解決しようとする課題】
【００１０】
しかしながら、特許文献１および２に記載のレンズアダプタは、内部にＮＤフィルタを挿脱するための機構を備えているため、挿脱時の駆動音が発生するという問題を抱えている。
【００１１】
本発明の目的は、静音で光量調整を行うことが可能なアダプタおよびカメラシステムを提供することにある。
【課題を解決するための手段】
【００１２】
上記目的を達成するために、本発明に係るアダプタは、撮影光の通過面積を変化させることが可能な第１の光量調整部を備える交換用レンズと、撮像素子を備えるカメラ本体と、の間に装着可能で、物性変化により撮影光の透過率を変化させることが可能な第２の光量調整部と、該第２の光量調整部を制御する制御部と、を有するアダプタであって、前記制御部は、撮影モードにおいて、ユーザによる光量調整のための操作部における操作量あるいは前記カメラ本体から前記交換用レンズに送信される前記第１の光量調整部に対する駆動指示に応じて前記第２の光量調整部における前記透過率を制御し、前記制御部は、前記撮影モードにおいて、前記カメラ本体から前記交換用レンズに送信される前記第１の光量調整部に対する前記駆動指示を駆動完了信号に変換して前記駆動完了信号を前記カメラ本体に送信することを特徴とする。
【００１３】
また、本発明に係るカメラシステムは、上記アダプタを有することを特徴とする。
【発明の効果】
【００１４】
本発明によれば、静音で光量調整を行うことが可能なアダプタおよびカメラシステムを提供することができる。
【図面の簡単な説明】
【００１５】
【図１】第１の実施形態に係るアダプタを含むカメラシステム概略図
【図２】交換レンズが有する機械絞りの構成を示す斜視図
【図３】アダプタが有する物性絞りの構成を示す概略図
【図４】第１の実施形態であるカメラシステムのＮＤモードにおける光量調整の動作を示すフローチャート
【図５】第１の実施形態であるカメラシステムの静音モードにおける光量調整の動作を示すフローチャート
【図６】第１の実施形態であるカメラシステムの動画モードにおける光量調整の動作を示すフローチャート
【図７】第２の実施形態に係るアダプタを含むカメラシステム概略図
【図８】第２の実施形態であるカメラシステムのＮＤモードにおける光量調整の動作を示すフローチャート
【図９】第２の実施形態であるカメラシステムの静音モードにおける光量調整の動作を示すフローチャート
【図１０】第２の実施形態であるカメラシステムの動画モードにおける光量調整の動作を示すフローチャート
【図１１】第１の実施形態の光量調整操作部の変形例を示すカメラシステム概略図
【図１２】第２の実施形態の光量調整操作部の変形例を示すカメラシステム概略図
【図１３】動画撮影に関する第１変形例を示した動作フローチャート
【図１４】動画撮影に関する第２変形例を示した動作フローチャート
【発明を実施するための形態】
【００１６】
以下、本発明の好ましい実施の形態を、添付の図面に基づいて詳細に説明する。
【００１７】
《第１の実施形態》
（カメラシステム）
図１は、本発明の第１の実施形態に係るアダプタを含むカメラシステムの概略図である。このカメラシステム１は、交換用レンズ（交換レンズ）１００と、カメラ本体３００と、交換レンズ１００とカメラ本体３００との間に装着可能なアダプタ２００とから構成される。
【００１８】
交換レンズ１００は、撮影レンズ１０１、撮影光の通過面積（光通口の面積としての開口径）が変化可能な第１の光量調整部としての機械絞り１０２と、機械絞り１０２を絞り駆動回路１０３を介して制御するレンズＣＰＵ１０４を搭載する。これにより、交換レンズ１００は、カメラ本体３００とアダプタ２００との間で通信可能である。
【００１９】
交換レンズ１００のマイクロコンピュータは、例えばレンズＣＰＵ１０４及びメモリ等（不図示）を有している。そして、このメモリに交換レンズ１００に関する情報（例えば焦点距離、明るさ、絞りの開口径の変更範囲など）が予め記憶されている。
【００２０】
ここで、アダプタ２００は、物性変化により撮影光の透過率が変化可能な第２の光量調整部としての物性絞り２０１、物性絞り駆動回路２０２、アダプタＣＰＵ２０３、ＮＤ／静音モード選択スイッチ（ＳＷ）２０４、光量調整操作部２０５を有する。
【００２１】
物性絞り２０１として、本実施形態では、光透過率を印加電圧によって可変させるエレクトロクロミック素子を用いて構成している。物性絞り２０１として、他に液晶素子を用いても良い。ＮＤ／静音モード選択スイッチ２０４はスライド式のスイッチなどで構成され、第１の静止画撮影が行われる第１の撮影モード（ＮＤモード）、第２の静止画撮影が行われる第２の撮影モード（静音モード）を切り換えることができる。
【００２２】
ここで、ＮＤモードとは、ユーザが被写界深度を決めるため操作部より機械絞りを変更可能で、機械絞りを固定した上で操作部の操作量に応じて物性絞りに電圧を印加することで光量調整を行う静止画撮影モードである。また、静音モードとは、ユーザによる操作部の操作が無い前提で、光量検出部における検出量に応じて物性絞りに電圧を印加することで光量調整を行う静止画撮影モードである。
【００２３】
光量調整操作部２０５は、例えばアダプタ２００の外周部にリング状に設けられ、回転操作することで回転量に応じた光量調整が可能である。
【００２４】
カメラ本体３００は、撮像素子３０１、静止画／動画選択スイッチ（ＳＷ）３０２、光量検出回路３０３、カメラＣＰＵ３０４、録画スイッチ（ＳＷ）３０５を有している。静止画／動画選択スイッチ３０２は、撮影モードとして静止画／動画を選択する（切り換える）スイッチ（ＳＷ）で、ダイヤルなどの選択スイッチで構成される。録画スイッチ３０５は押しボタンなどで構成され、動画撮影が行われる第３の撮影モード（動画撮影モード）における録画のＯＮ／ＯＦＦを切り換えることができる。
【００２５】
本実施形態のカメラシステムでは、被写体は撮影レンズ１０１で捉えられ、撮影レンズ１０１、開口径が変化する機械絞り１０２、アダプタ２００内の物性絞り２０１を通過し、カメラ本体３００内の撮像素子３０１に結像する。本実施形態のカメラシステムでは、この撮像素子３０１からの出力信号を用いて静止画像あるいは動画像を撮影する。
【００２６】
本実施形態のカメラシステムにおいて、光量調整部としては、交換レンズ１００が有する機械絞り１０２と、アダプタ２００が有する物性絞り２０１が存在する。
【００２７】
ここで、図２に、機械絞り１０２を分解した状態の斜視図を示す。機械絞り１０２は、絞り開口を形成する複数の絞り羽根４０５を備えている。そして、複数の絞り羽根４０５を、光軸４０１を横切る方向に変位させることにより、絞り開口の開口面積を調整することができる。これにより、撮影レンズ１０１を通って入射する光量を機械絞り１０２通過後に調整することができる。
【００２８】
絞り羽根４０５は、ピン部４０５ａ、４０５ｂを備える。ピン部４０５ａは、回動板４０４に形成された穴部４０４ａに挿入されている。ピン部４０５ｂは、カム板４０６に形成されたカム４０６ａに対しスライド可能に挿入されている。回動板４０４は地板４０２に形成された円形開口部に対し回動可能に嵌合しており、ギア部４０４ｂを有する。
【００２９】
回動板４０４は、地板４０２に固定されたステッピングモータ４０３の出力軸に取付けられたギア（不図示）とギア部４０４ｂを介し、ステッピングモータ４０３の出力軸の回転が伝達され光軸４０１を中心に回動する。回動板４０４が回動すると、絞り羽根４０５はカム４０６ａに沿ってスライドする。これにより、絞り開口の開口面積が調整される。但し、機械絞り１０２は、構成上、駆動時に駆動音が発生する。そのため、動画撮影時には、その駆動音が録音されるという問題がある。
【００３０】
次に、物性絞り２０１の構成を図３に示す。物性絞り２０１は、２つの被膜等の透明電極層５０１、５０２の間にＴａ２Ｏ５、ＳｉＯ２膜などの絶縁層５０３を有する。そして、絶縁層５０３を介して、Ｉｒ（ＯＨ）Ｘ、Ｎｉ（ＯＨ）Ｘ等の第１発色層５０４と、ＷＯ３、ＭｏＯ３等の第２発色層５０５とが積層された構造が、ガラス基板５０６上に形成されている。
【００３１】
透明電極５０１、５０２間に電圧を印加すると、同時に２つの発色層５０４、５０５が発色して様々な色に着色し、光透過特性が変化する。発色は電極に印加した電源から供給された電荷量で決まり、電圧が平衡に達すると電流は流れなくなるので、回路的には見かけ上コンデンサとして動作する。
【００３２】
そして、この状態は電源を取り去っても外部に電荷を移動させない限り保持される。したがって、エレクトロクロミック素子自身がメモリとしての機能を有している。メモリ時間は外部回路のリークによってほぼ決まり、このままでも１０時間以上の保持が可能なので通常の用途にはあえてメモリを必要としない。また、消色させるには、与えた電荷を抜いてやれば良いので、抵抗を接続するかあるいは逆電圧を加えてやれば良い。物性絞り２０１は、電圧印加による物性変化により光透過率が変化するので駆動音の発生は無い。
【００３３】
以下、本実施形態におけるＮＤモード、静音モード、動画モードを順に説明する。なお、本実施形態のカメラシステムは、ＮＤモード、静音モードをカメラ本体３００が認識できない（ＮＤ／静音モード選択スイッチ２０４がカメラ本体３００に無い）ものである。
【００３４】
１ａ）ＮＤモード（ＮＤ撮影モード）
図４は、アダプタ２００のＮＤ／静音モード選択スイッチ２０４によって、ＮＤモードが選択されているときの動作フローを示している。
【００３５】
まず、ステップ（図中ではＳと表記）１０に示すように交換レンズ１００、アダプタ２００、カメラ本体３００の動作が開始される。そして、ステップ１１で、カメラ本体３００で設定されている撮影モードのチェックを行う。次にステップ１２で、静止画撮影モードであるか否かを確認する。静止画撮影モードでない場合は、ステップ２４の他モード実行を行う。静止画撮影モードである場合は、ステップ１３へ進み、アダプタ２００はＮＤモードが選択されているか否かを確認する。ＮＤモードでない場合は、ステップ２４の他モード実行を行う。
【００３６】
ＮＤモードが選択されている場合はステップ１４に進み、交換レンズ１００内の機械絞り１０２を所定の開口径に駆動する。この所定の開口径とは、カメラ本体３００で設定されているＦｎｏ．に相当する開口径に対して所定の段数分（０段でも可）加算あるいは除算されたものである。
【００３７】
そして、ステップ１５にて、アダプタ２００が備える光量調整操作部２０５の操作量の検知（確認、チェック）を行う。次にステップ１６にて、ステップ１５で確認した操作量に応じてアダプタＣＰＵ２０３にて物性絞り２０１への印加電圧を算出し、その算出結果に基づいて物性絞り２０１に電圧を印加する。
【００３８】
そして、ステップ１７にて、カメラ本体３００は撮像素子３０１に入射されている光量の確認を行う。ステップ１８では、カメラ本体３００は、ステップ１７で確認した光量に基づいて交換レンズ１００に機械絞り１０２の駆動指示を送信する（但し、機械絞り１０２は駆動しない）。機械絞り１０２が駆動しないのは、以下のステップが存在しているからである。
【００３９】
即ち、アダプタ２００が、カメラ本体３００に対して機械絞り１０２が駆動完了した疑似信号（完了信号）を送信するステップ１９を備える。これは、機械絞り１０２に対する駆動指示を駆動完了信号に変換してこの駆動完了信号をカメラ本体３００に送信するというものである。その結果、実際にはカメラ本体３００からの信号に基づいた機械絞り１０２の駆動は行われない。
【００４０】
ステップ１９に関しては、本実施形態では、ＮＤモード、静音モードをカメラ本体が認識できない（ＮＤ／静音モード選択スイッチがカメラ本体に無い）ことに起因して設けられている。
【００４１】
次に、ステップ２０でカメラ本体は撮影可能状態に移行し、ステップ２１で撮影スイッチのＯＮ、ＯＦＦを確認する。ＯＮであった場合は静止画撮影が行われ、ＯＦＦであった場合はステップ２３で再度ＮＤモードか否かを確認する。ＮＤモードでなかった場合にはステップ１１に進み、ＮＤモードであった場合にはステップ１５に進む。
【００４２】
以上により、アダプタ２００のＮＤモードが選択されると、ユーザは被写界深度を決めるため最初に交換レンズ１００内の機械絞り１０２を所定の開口径に制御する。その後、制御部であるアダプタＣＰＵ２０３は、アダプタ２００が備える光量調整部２０５の操作量に応じて、物性絞り２０１を制御する。
【００４３】
アダプタ２００のＮＤモード選択時には、交換レンズ１００内の機械絞り１０２の開口径を固定した状態で光量調整が可能となる。したがって、撮影時の被写界深度を変更することなく光量調整可能となる。
【００４４】
なお、本実施形態において、光量調整操作部２０５はアダプタ２００が備えるものであったが、図１１に示すように交換レンズ８００が光量調整操作部１０５を備えていても良い。その場合、図４の動作フローのステップ１５において交換カメラ８００の光量調整部１０５の操作量をチェックする。
【００４５】
２ａ）静音モード（静音撮影モード）
図５は、アダプタ２００のＮＤ／静音モード選択スイッチ２０４によって、静音モードが選択されているときの動作フローを示している。
【００４６】
まず、ステップ３０に示すように交換レンズ１００、アダプタ２００、カメラ本体３００の動作が開始される。そして、ステップ３１で、カメラ本体３００で設定されている撮影モードのチェックを行う。次にステップ３２で、静止画撮影モードであるか否かを確認する。静止画撮影モードでない場合は、ステップ４３の他モード実行を行う。静止画撮影モードである場合はステップ３３へ進み、アダプタ２００は静音モードが選択されているか否かを確認する。静音モードでない場合はステップ４３の他モード実行を行う。
【００４７】
静音モードが選択されている場合はステップ３４に進み、交換レンズ１００内の機械絞り１０２を所定の開口径に駆動する。この所定の開口径とは、カメラ本体３００で設定されているＦｎｏ．に相当する開口径に対して所定の段数分（０段でも可）加算あるいは除算されたものである。そして、ステップ３５にてカメラ本体３００は撮像素子３０１に入射されている光量の確認を行う。
【００４８】
ステップ３６では、カメラ本体３００はステップ３５で確認した光量に基づいて交換レンズ１００に機械絞り１０２の駆動指示信号を送信する。そして、ステップ３７にて、カメラ本体３００からの機械絞り１０２の駆動指示信号に基づいてアダプタＣＰＵ２０３にて物性絞り２０１への印加電圧を算出し、その算出結果に基づいて物性絞り２０１に電圧を印加する。
【００４９】
次のステップ３８で、アダプタ２００はカメラ本体３００に対して機械絞り１０２が駆動完了した疑似信号（完了信号）を送信する。このため、実際には、カメラ本体３００からの信号に基づいた機械絞り１０２の駆動は行われない。
【００５０】
そして、ステップ３９でカメラ本体は撮影可能状態に移行し、ステップ４０で撮影スイッチのＯＮ、ＯＦＦを確認する。ＯＮであった場合は静止画撮影が行われ、ＯＦＦであった場合はステップ４２で再度静音モードか否かを確認する。静音モードでなかった場合にはステップ３１に進み、静音モードであった場合にはステップ３５に進む。
【００５１】
以上により、アダプタ２００の静音モードが選択されると、最初に交換レンズ１００内の機械絞り１０２を所定の開口径に制御する。その後、カメラ本体３００の光量検出部の検出量（検出結果）に基づいて、アダプタ２００が備える物性絞り２０１を制御する。アダプタ２００の静音モード選択時には、交換レンズ１００内の機械絞り１０２の駆動を停止した状態で光量調整が可能となる。
【００５２】
これにより、撮影時に光量調整による駆動音の発生を防止することができる。したがって、例えばコンサート会場などで撮影時の駆動音の発生を抑えたい場合に有用である。
【００５３】
３ａ）動画モード（動画撮影モード）
図６は、カメラ本体３００の静止画／動画選択スイッチ（ＳＷ）３０２によって、動画モードが選択されているときの動作フローを示している。本実施形態では、動画撮影モード中は交換レンズ１００が有する機械絞り１０２の駆動を禁止しアダプタ２００が有する物性絞り２０１を用いて光量調整している。
【００５４】
まず、ステップ５０に示すように交換レンズ１００、アダプタ２００、カメラ本体３００の動作が開始される。そして、ステップ５１で、カメラ本体３００で設定されている撮影モードのチェックを行う。次にステッ５２で、動画撮影モードであるか否かを確認する。動画撮影モードでない場合は、ステップ６２の他モード実行を行う。動画撮影モードである場合はステップ５３へ進み、カメラ本体３００の録画スイッチがＯＮであるか否かを確認する。録画スイッチがＯＮでなかった場合はステップ６２に進み他モードを実行する。
【００５５】
録画スイッチがＯＮであった場合は、ステップ５４に進む。ステップ５４では、交換レンズ１００内の機械絞り１０２を所定の開口径に駆動する。この所定の開口径とは、カメラ本体３００で設定されているＦｎｏ．に相当する開口径に対して所定の段数分（０段でも可）加算あるいは除算されたものである。ステップ５５では、カメラ本体３００が録画をスタートさせる。そして、ステップ５６で、カメラ本体３００は撮像素子３０１に入射されている光量の確認を行う。
【００５６】
ステップ５７では、カメラ本体３００はステップ５６で確認した光量に基づいて交換レンズ１００に機械絞り１０２の駆動指示信号を送信する。ステップ５８にてカメラ本体３００からの機械絞り１０２の駆動指示信号に基づいてアダプタＣＰＵ２０３にて物性絞り２０１への印加電圧を算出し、その算出結果に基づいて物性絞り２０１に電圧を印加する。次のステップ５９で、アダプタ２００はカメラ本体３００に対して機械絞り１０２が駆動完了した疑似信号（完了信号）を送信する。このため、実際には、カメラ本体３００からの信号に基づいた機械絞り１０２の駆動は行われない。
【００５７】
そして、ステップ６０でカメラ本体３００の録画スイッチがＯＦＦであるか否かを判定する。ＯＦＦであった場合は、ステップ６１に進み録画が終了する。ＯＦＦで無かった場合は、ステップ５６に戻る。
【００５８】
以上により、カメラ本体の動画モードが選択されると、録画スイッチがＯＮされた直後に交換レンズ１００内の機械絞り１０２を所定の開口径に制御する。その後、カメラ本体３００の光量検出部の検出量（検出結果）に基づいてアダプタ２００が備える物性絞り２０１を制御する。これにより、動画録画時には、交換レンズ１００内の機械絞り１０２の駆動を停止した状態で光量調整が可能となる。そのため、動画撮影時に光量調整による駆動音の発生を防止することができる。したがって、動画撮影時の記録音として駆動音が録音されることを防止することができる。
【００５９】
（本実施形態の効果）
本実施形態のカメラシステムによれば、カメラ本体３００がＮＤモードおよび静音モードを選択できない場合においても、アダプタ２００内のモード選択によりＮＤモード、静音モードを使用することができる。また、カメラ本体３００がアダプタ２００内の物性絞りを認識できないカメラシステムにて、動画モードが選択されている場合にも物性絞りを制御し交換レンズ内の機械絞りの駆動音の発生を防止することができる。
【００６０】
《第２の実施形態》
以下、本発明の第２の実施形態を添付図面に基づいて説明する。第１の実施形態では、ＮＤモード、静音モードをカメラ本体が認識できない（ＮＤ／静音モード選択スイッチがカメラ本体に無い）ものであった。これに対し、本実施形態では、ＮＤモード、静音モードをカメラ本体が認識できる（ＮＤ／静音モード選択スイッチがカメラ本体に有る）ものである。
【００６１】
図７は、本実施形態に係るアダプタを含むカメラシステムの概略図である。このカメラシステム２は、交換レンズ１００と、カメラ本体７００と、交換レンズ１００とカメラ本体７００との間に装着可能なアダプタ６００とから構成される。交換レンズ１００は、第１の実施形態と同様であるため説明は省略する。
【００６２】
アダプタ６００は、物性変化により光の透過率を変化させることができる物性絞り２０１、物性絞り駆動回路２０２、アダプタＣＰＵ２０３を有している。物性絞り２０１は、第１の実施形態と同様であるため説明は省略する。
【００６３】
図７で、カメラ本体７００は、撮像素子３０１、ＮＤ／静音／動画選択スイッチ（ＳＷ）３０７、光量検出回路３０３、カメラＣＰＵ３０４、録画スイッチ３０５、光量調整操作部３０６を有している。撮影モードを選択するＮＤ／静音／動画選択スイッチ（ＳＷ）３０７は、ダイヤルなどの選択スイッチで構成される。そして、第１の静止画撮影が行われる第１の撮影モード（ＮＤモード）、第２の静止画撮影が行われる第２の撮影モード（静音モード）、動画撮影が行われる第３の撮影モードの切替えを行うことができる。
【００６４】
録画スイッチ３０５は、押しボタンなどで構成され、動画撮影モード時の録画のＯＮ／ＯＦＦを切り換えることができる。光量調整操作部３０６は、例えばダイヤルなどの選択スイッチで構成され、回転操作することで回転量に応じた光量調整が可能である。
【００６５】
以下、本実施形態におけるＮＤモード、静音モード、動画モードを順に説明する。なお、機械絞り１０２および物性絞り２０１は、第１の実施形態と同様であるため、詳細な説明は省略する。
【００６６】
１ｂ）ＮＤモード（ＮＤ撮影モード）
図８は、カメラ本体７００のＮＤ／静音／動画選択スイッチ（ＳＷ）３０７によって、ＮＤモードが選択されているときの動作フローを示している。
【００６７】
まず、ステップ７０に示すように、交換レンズ１００、アダプタ６００、カメラ本体７００の動作が開始される。そして、ステップ７１で、カメラ本体７００で設定されている撮影モードのチェックを行う。次にステップ７２で、ＮＤモードであるか否かを確認する。ＮＤモードでない場合は、ステップ８０の他モード実行を行う。ＮＤモードである場合は、ステップ７３に進む。
【００６８】
ステップ７３では、交換レンズ１００内の機械絞り１０２を所定の開口径に駆動する。この所定の開口径とは、カメラ本体３００で設定されているＦｎｏ．に相当する開口径に対して所定の段数分（０段でも可）加算あるいは除算されたものである。
【００６９】
そして、ステップ７４にて、カメラ本体７００が備える光量調整操作部３０６の操作量の確認を行う。ステップ７５にてステップ７４で確認した操作量に応じて、アダプタＣＰＵ２０３にて物性絞り２０１への印加電圧を算出し、その算出結果に基づいて物性絞り２０１に電圧を印加する。
【００７０】
そして、ステップ７６でカメラ本体は撮影可能状態に移行し、ステップ７７で撮影スイッチのＯＮ、ＯＦＦを確認する。ＯＮであった場合は静止画撮影が行われ、ＯＦＦであった場合はステップ７９で再度ＮＤモードか否かを確認する。ＮＤモードでなかった場合にはステップ７１に進み、ＮＤモードであった場合にはステップ７４に進む。
【００７１】
以上により、カメラ本体７００でＮＤモードが選択されると、最初に交換レンズ１００内の機械絞り１０２を所定の開口径に制御する。その後、カメラ本体７００が備える光量調整部３０６の操作量に応じて物性絞り２０１を制御する。カメラ本体７００でＮＤモード選択時には、交換レンズ１００内の機械絞り１０２の開口径を固定した状態で光量調整が可能となる。したがって、撮影時の被写界深度を変更することなく光量調整可能となる。
【００７２】
なお、本実施形態において、光量調整操作部はカメラ本体が備えると示したが、図１２に示すように交換レンズ８００が光量調整操作部１０５を備えていても良い。その場合、図８の動作フローのステップ７４において交換カメラ８００の光量調整部１０５の操作量をチェックする。
【００７３】
２ｂ）静音モード（静音撮影モード）
図９は、カメラ本体７００のＮＤ／静音／動画選択スイッチ（ＳＷ）３０７によって、静音モードが選択されているときの動作フローを示している。
【００７４】
まず、ステップ９０に示すように、交換レンズ１００、アダプタ６００、カメラ本体７００の動作が開始される。そして、ステップ９１で、カメラ本体７００で設定されている撮影モードのチェックを行う。次にステップ９２で、静音モードであるか否かを確認する。静音モードでない場合は、ステップ１０１の他モード実行を行う。静音モードである場合は、ステップ９３へ進む。
【００７５】
そして、ステップ９３で交換レンズ１００内の機械絞り１０２を所定の開口径に駆動する。この所定の開口径とは、カメラ本体７００で設定されているＦｎｏ．に相当する開口径に対して所定の段数分（０段でも可）加算あるいは除算されたものである。
【００７６】
そして、ステップ９４にて、カメラ本体７００は撮像素子３０１に入射されている光量の確認を行う。ステップ９５では、カメラ本体７００はステップ９４で確認した光量に基づいて、アダプタ６００の物性絞り２０１への電圧印加信号を送信する。そして、ステップ９６にて、カメラ本体７００からの指示信号に基づいてアダプタ６００はアダプタＣＰＵ２０３にて物性絞り２０１への印加電圧を算出し、その算出結果に基づいて物性絞り２０１に電圧を印加する。
【００７７】
そして、ステップ９７でカメラ本体は撮影可能状態に移行し、ステップ９８で撮影スイッチのＯＮ、ＯＦＦを確認する。ＯＮであった場合は静止画撮影が行われ、ＯＦＦであった場合はステップ１００で再度静音モードか否かを確認する。静音モードでなかった場合にはステップ９１に進み、静音モードであった場合にはステップ９４に進む。
【００７８】
以上により、カメラ本体７００で静音モードが選択されると、最初に交換レンズ１００内の機械絞り１０２を所定の開口径に制御する。その後、カメラ本体７００の光量確認結果に基づいて、アダプタ６００が備える物性絞り２０１を制御する。カメラ本体７００での静音モード選択時には、交換レンズ１００内の機械絞り１０２の駆動を停止した状態で光量調整が可能となる。
【００７９】
そのため、撮影時に光量調整による駆動音の発生を防止することができる。したがって、例えばコンサート会場などで撮影時の駆動音の発生を抑えたい場合に有用である。
【００８０】
３ｂ）動画モード（動画撮影モード）
図１０は、カメラ本体７００のＮＤ／静音／動画選択スイッチ（ＳＷ）３０７によって、動画モードが選択されているときの動作フローを示している。
【００８１】
まず、ステップ１１０に示すように、交換レンズ１００、アダプタ６００、カメラ本体７００の動作が開始される。そして、ステップ１１１で、カメラ本体７００で設定されている撮影モードのチェックを行う。次にステッ１１２で、動画モードであるか否かを確認する。動画モードでない場合は、ステップ１２１の他モード実行を行う。動画モードである場合はステップ１１３へ進み、カメラ本体７００の録画スイッチがＯＮであるか否かを確認する。録画スイッチがＯＮでなかった場合は、ステップ１１１に戻る。録画スイッチがＯＮであった場合は、ステップ１１４に進む。
【００８２】
そして、ステップ１１４にて、交換レンズ１００内の機械絞り１０２を所定の開口径に駆動する。この所定の開口径とは、カメラ本体３００で設定されているＦｎｏ．に相当する開口径に対して所定の段数分（０段でも可）加算あるいは除算されたものである。ステップ１１５では、カメラ本体７００が録画をスタートさせる。そして、ステップ１１６で、カメラ本体７００は撮像素子３０１に入射されている光量の確認を行う。
【００８３】
そして、ステップ１１７では、カメラ本体７００は、ステップ１１６で確認した光量に基づいて、アダプタ６００に物性絞り２０１への電圧印加信号を送信する。ステップ１１８では、カメラ本体７００からの指示信号に基づいて、アダプタ６００はアダプタＣＰＵ２０３にて物性絞り２０１への印加電圧を算出し、その算出結果に基づいて物性絞り２０１に電圧を印加する。
【００８４】
そして、次のステップ１１９で、カメラ本体７００の録画スイッチがＯＦＦであるか否かを判定する。ＯＦＦであった場合は、ステップ１２０に進み録画が終了する。ＯＦＦで無かった場合は、ステップ１１６に戻る。
【００８５】
以上により、カメラ本体７００で動画モードが選択されると、録画スイッチがＯＮされた直後に交換レンズ１００内の機械絞り１０２を所定の開口径に制御する。その後、カメラ本体７００の光量検出部の検出量（検出結果）に基づいてアダプタ６００が備える物性絞り２０１を制御する。動画録画時には、交換レンズ１００内の機械絞り１０２の駆動を停止した状態で光量調整が可能となる。このため、動画撮影時に光量調整による駆動音の発生を防止することができる。したがって、動画撮影時の記録音として駆動音が録音されることを防止することができる。
【００８６】
（本実施形態の効果）
本実施形態によれば、カメラ本体が静止画撮影モードとしてＮＤ撮影モードおよび静音撮影モード、更に動画撮影モードを選択可能な場合において、アダプタ内の物性絞りを制御し、交換レンズ内の機械絞りの駆動音の発生を防止することができる。
【００８７】
（変形例）
以上、本発明の好ましい実施形態について説明したが、本発明はこれらの実施形態に限定されず、その要旨の範囲内で種々の変形及び変更が可能である。
【００８８】
（変形例１）
上述した実施形態では、交換レンズ内の機械絞りの駆動を停止させてアダプタ内の物性絞りのみで光量調整行う実施形態について説明したが、本発明はこれに限られない。例えば図１３（実施形態１の図４の動作フローの変化形）に示すように、物性絞りへの印加電圧が光量の何段分に相当するか確認し、所定の段数（図１３では±１段）を超える場合には、カメラ本体の撮像素子の感度を変更しても良い。
【００８９】
このようにすることで、物性絞りにて対応可能範囲外の光量調整が必要な場合（制御範囲を超える場合）にも適切な光量調整が可能となる。また、対応範囲外を超えていても物性絞り対応可能段数分は物性絞りを用いるので、撮像素子の感度を必要以上にあげなくて良いため感度を上げることによるノイズの影響を抑制することができる。
【００９０】
（変形例２）
上述した実施形態では、物性絞りとしてエレクトロクロミック素子を用いたが、他の化学変化を用いる例えば液晶素子などを用いても良い。
【００９１】
（変形例３）
上述した実施形態では、物性絞りがアダプタに備わるものでＮＤ／静音／動画の撮影モードが選択可能なものであったが、物性絞りがカメラ本体もしくは交換用レンズに備わるものでＮＤ／静音／動画の撮影モードが選択可能なカメラシステムとしても良い。また、アダプタを備えず、物性絞りがカメラ本体もしくは交換用レンズに備わるものでＮＤ／静音／動画の撮影モードが選択可能なカメラシステムとしても良い。
【００９２】
つまり、撮影光の通過面積を変化させる第１の光量調整部と、物性変化により撮影光の透過率を変化させる第２の光量調整部と、撮像素子と、第２の光量調整部を制御する制御部と、を有するカメラシステムとしてもよい。なお、本変形例でいう撮像素子はカメラ本体に設けられており、第１の光量調整部は交換用レンズに設けられている。
【００９３】
そして、このカメラシステムが備える制御部が、第１の静止画撮影が行われる第１の撮影モードにおいて、ユーザによる光量調整のための操作部における操作量に応じて第２の光量調整部における透過率を制御してもよい。さらに、カメラ本体から交換用レンズに送信される第１の光量調整部に対する駆動指を駆動完了信号に変換して駆動完了信号をカメラ本体に送信してもよい。
【００９４】
また、各撮影モードを選択する選択スイッチはカメラシステムを構成するカメラ本体あるいは交換用レンズ、さらにはアダプタのいずれかが備えていればよい。選択スイッチが選択可能な撮影モード及び選択された撮影モードにおいて、制御部が行う制御は前述の各実施形態と同様にすればよい。
【００９５】
（変形例４）
上述した実施形態では、ＮＤ／静音の撮影モードを選択する選択スイッチ（ＳＷ）をアダプタもしくはカメラ本体に設けたが、交換用レンズに設けても良い。
【００９６】
（変形例５）
図１４を参照して図６に示す動画撮影時の制御の変形例について説明する。ステップ５０からステップ５５までは図６と同様の制御を行う。ステップ５５１ではアダプタ２００が備える光量調整操作部２０５の操作量の検知（確認、チェック）を行う。次にステップ５５２にて、ステップ５５１で確認した操作量に応じてアダプタＣＰＵ２０３にて物性絞り２０１への印加電圧を算出し、その算出結果に基づいて物性絞り２０１に電圧を印加する。
【００９７】
そして、ステップ５５３にて、カメラ本体３００は撮像素子３０１に入射されている光量の確認を行う。ステップ５５４では、カメラ本体３００は、ステップ５５３で確認した光量に基づいて交換レンズ１００に機械絞り１０２の駆動指示を送信する。但し、機械絞り１０２は駆動しない。機械絞り１０２が駆動しないのは、以下のステップが存在しているからである。即ち、アダプタ２００が、カメラ本体３００に対して機械絞り１０２が駆動完了した疑似信号（完了信号）を送信するステップ５５５を備える。これは、機械絞り１０２に対する駆動指示を駆動完了信号に変換してこの駆動完了信号をカメラ本体３００に送信するというものである。その結果、実際にはカメラ本体３００からの信号に基づいた機械絞り１０２の駆動は行われない。
【００９８】
ステップ５５６ではカメラ本体で録画が行われているかどうかを確認し、行われていればステップ５５１に戻り、行われていなければステップ５５７で図１４に示す制御を完了する。
【符号の説明】
【００９９】
１００  交換レンズ
１０２  機械絞り
２００  アダプタ
２０１  物性絞り
２０３  アダプタＣＰＵ
３００  カメラ本体
３０１  撮像素子
【図１】
2017191310.tif 000003
【図２】
2017191310.tif 000004
【図３】
2017191310.tif 000005
【図４】
2017191310.tif 000006
【図５】
2017191310.tif 000007
【図６】
2017191310.tif 000008
【図７】
2017191310.tif 000009
【図８】
2017191310.tif 000010
【図９】
2017191310.tif 000011
【図１０】
2017191310.tif 000012
【図１１】
2017191310.tif 000013
【図１２】
2017191310.tif 000014
【図１３】
2017191310.tif 000015
【図１４】
2017191310.tif 000016